(57)【要約】【課題】熱変色性インクとの使用のための加熱筆記デバイスを提供すること【解決手段】本開示は、熱変色性インクを活性化するためのデバイスに関する。本デバイスは、描画先端と、描画先端に通信可能に結合され、描画先端を加熱するように構成される正温度係数（ＰＴＣ）加熱要素を含み得る、加熱要素と、加熱要素に電力を提供するように構成される電源とを含んでもよい。電源は、リチウムイオンバッテリであってもよい。バッテリは、再充電可能であってもよく、本デバイスは、充電ポートに結合された電源からバッテリを再充電するための充電ポートを有してもよい。本デバイスは、電源から加熱要素への電力を調整するための調整器を有してもよい。本デバイスは、電源からの電力を加熱要素に指向させるためのコントローラを有してもよい。さらに、加熱要素は、描画先端を摂氏３０〜７０度の温度に加熱するように構成されてもよい。【選択図】なし【特許請求の範囲】
【請求項１】
熱変色性インクを活性化するためのデバイスであって、前記デバイスは、
描画先端と、
正温度係数（ＰＴＣ）加熱要素を含む加熱要素であって、前記加熱要素は、前記描画先端に通信可能に結合され、前記描画先端を加熱するように構成される、加熱要素と、
前記加熱要素に電力を提供するように構成される、電源と、
を備える、デバイス。
【請求項２】
前記電源は、リチウムイオンバッテリを含む、請求項１に記載のデバイス。
【請求項３】
前記リチウムイオンバッテリは、再充電可能である、請求項２に記載のデバイス。
【請求項４】
充電ポートをさらに備え、前記充電ポートは、それに結合された電源から前記リチウムイオンバッテリを再充電する、請求項３に記載のデバイス。
【請求項５】
前記電源から前記加熱要素への電力を調整するための調整器をさらに備える、請求項１に記載のデバイス。
【請求項６】
前記電源からの電力を前記加熱要素に指向させるためのコントローラをさらに備える、請求項１に記載のデバイス。
【請求項７】
前記コントローラに通信可能に結合され、前記描画先端および前記加熱要素のうちの少なくとも１つの温度を感知するように構成される、熱センサをさらに備える、請求項６に記載のデバイス。
【請求項８】
前記描画先端は、キャビティを備え、前記加熱要素は、前記キャビティ内に配列される、請求項１に記載のデバイス。
【請求項９】
前記加熱要素は、前記描画先端を摂氏３０〜７０度の温度に加熱するように構成される、請求項１に記載のデバイス。
【請求項１０】
熱変色性描画システムであって、
基材のための支持を提供するように構成された作業面であって、前記基材は、熱変色性インクを用いて処理される、作業面と、
熱変色性インクを活性化するためのデバイスであって、前記デバイスは、
描画先端と、
正温度係数（ＰＴＣ）加熱要素を含む加熱要素であって、前記加熱要素は、前記描画先端に通信可能に結合され、前記描画先端を加熱するように構成される、加熱要素と、
前記加熱要素に電力を提供するように構成される、電源と、
を備える、デバイスと、
を備える、熱変色性描画システム。
【請求項１１】
前記作業面に対して前記基材を保持するためのフレームをさらに備える、請求項１０に記載のシステム。
【請求項１２】
前記作業面に対して前記基材を保持するためのクリップをさらに備える、請求項１０に記載のシステム。
【請求項１３】
前記作業面は、携行用ハンドルを備える、請求項１０に記載のシステム。
【請求項１４】
前記電源は、リチウムイオンバッテリを含む、請求項１０に記載のシステム。
【請求項１５】
前記リチウムイオンバッテリは、再充電可能である、請求項１４に記載のシステム。
【請求項１６】
前記作業面は、ライトを備える、請求項１０に記載のシステム。
【請求項１７】
前記作業面は、前記基材を貯蔵するための貯蔵ユニットを備える、請求項１０に記載のシステム。
【請求項１８】
前記基材は、１つまたはそれを上回る熱変色性インクを用いて処理される１枚の紙である、請求項１０に記載のシステム。
【請求項１９】
熱変色性インクを活性化するためのデバイスであって、前記デバイスは、
キャビティを備える、描画先端と、
前記キャビティ内に配列される、加熱要素であって、前記加熱要素は、前記描画先端に通信可能に結合され、前記描画先端を加熱するように構成される、加熱要素と、
前記加熱要素に電力を提供するように構成される、電源と、
を備える、デバイス。
【請求項２０】
前記電源は、リチウムイオンバッテリを含む、請求項１９に記載のデバイス。
【請求項２１】
ばねと、ばね保持部材とをさらに備え、前記ばねは、前記加熱要素と前記ばね保持部材との間のキャビティ内に保持され、前記ばねおよびばね保持部材は、前記描画先端に対して前記加熱要素を保持するための保持力を提供する、請求項１９に記載のデバイス。
【発明の詳細な説明】
【技術分野】
【０００１】
本願は、概して、筆記デバイスに関する。特に、本願は、熱熱変色性インクとの使用のための筆記デバイスに関する。より具体的には、本願は、熱変色性インクを活性化させるために用いられ得る加熱筆記デバイスに関する。
【背景技術】
【０００２】
本明細書に提供される背景技術説明は、本開示の内容を一般的に提示することを目的とする。本発明者の研究は、この背景技術の節において説明される限りにおいて、出願時に従来技術として別様に認定され得ない説明の側面と同様に、本開示に対する従来技術として明示的にも黙示的にも認められていない。
【０００３】
熱変色性インクは、温度に反応して変色するインクである。それらは、温度変化に反応して、不透明もしくは半透明色から変わる、または半透明から不透明色に変わることを含む、任意の色から任意の色に変化するように調合されることができる。それらは、種々の温度で変色するように調合されることができ、したがって、特定の調合がいくつかの異なる温度遷移点または範囲を有し、それぞれ、１つの特定の色から別のものへの特定の色変化を伴うことができる。それらは、非熱変色性インクと混合されることができ、したがって、非熱変色性インクの一定色と熱変色性インクの温度依存色との配合が起こる。
【０００４】
玩具は、教育プロセスおよび娯楽の提供の両方において人々に利益をもたらす。これは、特に、子供の場合では、その精神を発達させ、そのエネルギーを消費するための刺激を必要とするため、利益をもたらす。興味深い色または他の性質を有する玩具は、面白い、または教育的ものとなり得る。例えば、描画された画像を作製および示すことを可能にするデバイスは、玩具として、任意の年齢の人々のための描画ツールとして、およびレストラン環境においてその日のメニューを示す等の商業用途のために有用である。彩色および描画は、大人ならびに子供の両方にとって創造的かつ満足できる活動である。
【発明の概要】
【課題を解決するための手段】
【０００５】
以下は、本開示の１つまたはそれを上回る実施形態の基本的理解を提供するために、そのような実施形態の簡略化された概要を提示する。本概要は、全ての想定される実施形態の広範な概観ではなく、全ての実施形態の主要もしくは重要な要素を識別する、またはいずれかもしくは全ての実施形態の範囲を説明することを意図しない。
【０００６】
本開示は、１つまたはそれを上回る実施形態では、熱変色性インクを活性化するためのデバイスに関する。本デバイスは、描画先端と、描画先端に通信可能に結合され、描画先端を加熱するように構成される正温度係数（ＰＴＣ）加熱要素を含み得る、加熱要素と、加熱要素に電力を提供するように構成される電源とを含んでもよい。いくつかの実施形態では、電源は、リチウムイオンバッテリであってもよい。いくつかの実施形態では、バッテリは、再充電可能であってもよく、本デバイスは、充電ポートに結合された電源からバッテリを再充電するための充電ポートを有してもよい。いくつかの実施形態では、本デバイスは、電源から加熱要素への電力を調整するための調整器を有してもよい。本デバイスは、電源からの熱を加熱要素に指向させるためのコントローラを有してもよい。いくつかの実施形態では、本デバイスは、コントローラに通信可能に結合され、描画先端および／または加熱要素の温度を感知するように構成される、熱センサを有してもよい。いくつかの実施形態では、描画先端は、キャビティを有してもよく、加熱要素は、キャビティ内に配列されてもよい。いくつかの実施形態では、さらに、加熱要素は、描画先端を摂氏３０〜７０度の温度に加熱するように構成されてもよい。
【０００７】
本開示は、１つまたはそれを上回る付加的実施形態では、熱変色性描画システムに関する。本システムは、基材のための支持を提供するように構成される作業面を有してもよく、基材は、熱変色性インクを用いて処理される。本システムは、加えて、熱変色性インクを活性化するためのデバイスを有してもよい。本デバイスは、描画先端と、描画先端に通信可能に結合され、描画先端を加熱するように構成される正温度係数（ＰＴＣ）加熱要素を含み得る、加熱要素と、加熱要素に電力を提供するように構成される電源とを有してもよい。いくつかの実施形態では、本システムは、作業面に対して基材を保持するためのフレームまたはクリップを含んでもよい。作業面はまた、携行用ハンドルを有してもよい。いくつかの実施形態では、本デバイスの電源は、リチウムイオンバッテリであってもよく、バッテリは、再充電可能であってもよい。いくつかの実施形態では、作業面は、ライトを有してもよい。作業面は、基材を貯蔵するための貯蔵ユニットを有してもよい。さらに、基材は、１つまたはそれを上回る熱変色性インクを用いて処理される１枚の紙であってもよい。
【０００８】
本開示は、１つまたはそれを上回る付加的実施形態では、熱変色性インクを活性化するためのデバイスに関する。本デバイスは、キャビティを有する、描画先端と、キャビティ内に配列される加熱要素であって、描画先端に通信可能に結合され、描画先端を加熱するように構成される、加熱要素と、加熱要素に電力を提供するように構成される、電源とを含んでもよい。いくつかの実施形態では、電源は、リチウムイオンバッテリであってもよい。本デバイスはさらに、ばねと、ばね保持部材とを含んでもよい。ばねは、ばねおよびばね保持部材が描画先端に対して加熱要素を保持するための保持力を提供するように、加熱要素とばね保持部材との間の描画先端キャビティ内に保持されてもよい。
【０００９】
複数の実施形態が開示されるが、本発明の例証的実施形態を示し、説明する、以下の発明を実施するための形態から、本開示のさらに他の実施形態が、当業者に明白となるであろう。認識されるであろうように、本開示の種々の実施形態は、全て本開示の精神および範囲から逸脱することなく、種々の明確な側面において修正が可能である。故に、図面および発明を実施するための形態は、本質的に制限的ではなく例証的と見なされるものである。
例えば、本発明は、以下を提供する。
（項目１）
熱変色性インクを活性化するためのデバイスであって、上記デバイスは、
描画先端と、
正温度係数（ＰＴＣ）加熱要素を含む加熱要素であって、上記加熱要素は、上記描画先端に通信可能に結合され、上記描画先端を加熱するように構成される、加熱要素と、
上記加熱要素に電力を提供するように構成される、電源と、
を備える、デバイス。
（項目２）
上記電源は、リチウムイオンバッテリを含む、上記項目に記載のデバイス。
（項目３）
上記リチウムイオンバッテリは、再充電可能である、上記項目のいずれか一項に記載のデバイス。
（項目４）
充電ポートをさらに備え、上記充電ポートは、それに結合された電源から上記リチウムイオンバッテリを再充電する、上記項目のいずれか一項に記載のデバイス。
（項目５）
上記電源から上記加熱要素への電力を調整するための調整器をさらに備える、上記項目のいずれか一項に記載のデバイス。
（項目６）
上記電源からの電力を上記加熱要素に指向させるためのコントローラをさらに備える、上記項目のいずれか一項に記載のデバイス。
（項目７）
上記コントローラに通信可能に結合され、上記描画先端および上記加熱要素のうちの少なくとも１つの温度を感知するように構成される、熱センサをさらに備える、上記項目のいずれか一項に記載のデバイス。
（項目８）
上記描画先端は、キャビティを備え、上記加熱要素は、上記キャビティ内に配列される、上記項目のいずれか一項に記載のデバイス。
（項目９）
上記加熱要素は、上記描画先端を摂氏３０〜７０度の温度に加熱するように構成される、上記項目のいずれか一項に記載のデバイス。
（項目１０）
熱変色性描画システムであって、
基材のための支持を提供するように構成された作業面であって、上記基材は、熱変色性インクを用いて処理される、作業面と、
熱変色性インクを活性化するためのデバイスであって、上記デバイスは、
描画先端と、
正温度係数（ＰＴＣ）加熱要素を含む加熱要素であって、上記加熱要素は、上記描画先端に通信可能に結合され、上記描画先端を加熱するように構成される、加熱要素と、
上記加熱要素に電力を提供するように構成される、電源と、
を備える、デバイスと、
を備える、熱変色性描画システム。
（項目１１）
上記作業面に対して上記基材を保持するためのフレームをさらに備える、上記項目に記載のシステム。
（項目１２）
上記作業面に対して上記基材を保持するためのクリップをさらに備える、上記項目のいずれか一項に記載のシステム。
（項目１３）
上記作業面は、携行用ハンドルを備える、上記項目のいずれか一項に記載のシステム。
（項目１４）
上記電源は、リチウムイオンバッテリを含む、上記項目のいずれか一項に記載のシステム。
（項目１５）
上記リチウムイオンバッテリは、再充電可能である、上記項目のいずれか一項に記載のシステム。
（項目１６）
上記作業面は、ライトを備える、上記項目のいずれか一項に記載のシステム。
（項目１７）
上記作業面は、上記基材を貯蔵するための貯蔵ユニットを備える、上記項目のいずれか一項に記載のシステム。
（項目１８）
上記基材は、１つまたはそれを上回る熱変色性インクを用いて処理される１枚の紙である、上記項目のいずれか一項に記載のシステム。
（項目１９）
熱変色性インクを活性化するためのデバイスであって、上記デバイスは、
キャビティを備える、描画先端と、
上記キャビティ内に配列される、加熱要素であって、上記加熱要素は、上記描画先端に通信可能に結合され、上記描画先端を加熱するように構成される、加熱要素と、
上記加熱要素に電力を提供するように構成される、電源と、
を備える、デバイス。
（項目２０）
上記電源は、リチウムイオンバッテリを含む、上記項目に記載のデバイス。
（項目２１）
ばねと、ばね保持部材とをさらに備え、上記ばねは、上記加熱要素と上記ばね保持部材との間のキャビティ内に保持され、上記ばねおよびばね保持部材は、上記描画先端に対して上記加熱要素を保持するための保持力を提供する、上記項目のいずれか一項に記載のデバイス。
（摘要）
本開示は、熱変色性インクを活性化するためのデバイスに関する。本デバイスは、描画先端と、描画先端に通信可能に結合され、描画先端を加熱するように構成される正温度係数（ＰＴＣ）加熱要素を含み得る、加熱要素と、加熱要素に電力を提供するように構成される電源とを含んでもよい。電源は、リチウムイオンバッテリであってもよい。バッテリは、再充電可能であってもよく、本デバイスは、充電ポートに結合された電源からバッテリを再充電するための充電ポートを有してもよい。本デバイスは、電源から加熱要素への電力を調整するための調整器を有してもよい。本デバイスは、電源からの電力を加熱要素に指向させるためのコントローラを有してもよい。さらに、加熱要素は、描画先端を摂氏３０〜７０度の温度に加熱するように構成されてもよい。
【図面の簡単な説明】
【００１０】
本明細書は、本開示の種々の実施形態を形成すると見なされる主題を特に指摘し、かつ明確に請求する、請求項で完結するが、本発明は、付随の図面と併せて検討される以下の説明から、より深く理解されると考えられる。
【００１１】
【図１】図１は、１つまたはそれを上回る実施形態による、本開示の加熱ペンの内部図である。
【図２Ａ】図２Ａは、１つまたはそれを上回る実施形態による、図１の加熱ペンの断面図である。
【図２Ｂ】図２Ｂは、１つまたはそれを上回る実施形態による、本開示の別の加熱ペンの分解図である。
【図２Ｃ】図２Ｃは、１つまたはそれを上回る実施形態による、図２Ｂの加熱ペンの一部の断面図である。
【図３Ａ】図３Ａは、１つまたはそれを上回る実施形態による、本開示の加熱先端の側面図である。
【図３Ｂ】図３Ｂは、１つまたはそれを上回る実施形態による、図３Ａの加熱先端の端面図である。
【図３Ｃ】図３Ｃは、１つまたはそれを上回る実施形態による、図３Ａの加熱先端の断面図である。
【図４Ａ】図４Ａは、１つまたはそれを上回る実施形態による、本開示の加熱先端の側面図である。
【図４Ｂ】図４Ｂは、１つまたはそれを上回る実施形態による、図４Ａの加熱先端の端面図である。
【図４Ｃ】図４Ｃは、１つまたはそれを上回る実施形態による、図４Ａの加熱先端の断面図である。
【図５】図５は、１つまたはそれを上回る実施形態による、本開示の加熱ペンのための回路の概略図である。
【図６Ａ】図６Ａは、１つまたはそれを上回る実施形態による、本開示の加熱ペンの斜視図である。
【図６Ｂ】図６Ｂは、１つまたはそれを上回る実施形態による、図６Ａの加熱ペンの端面図である。
【図６Ｃ】図６Ｃは、１つまたはそれを上回る実施形態による、図６Ａの加熱ペンの対向端面図である。
【図７】図７は、１つまたはそれを上回る実施形態による、基材を保持するための本開示のデバイスである。
【図８Ａ】図８Ａは、１つまたはそれを上回る実施形態による、基材を保持するための本開示のデバイスである。
【図８Ｂ】図８Ｂは、１つまたはそれを上回る実施形態による、基材を保持するための本開示の別のデバイスである。
【図８Ｃ】図８Ｃは、１つまたはそれを上回る実施形態による、基材を保持するための本開示の別のデバイスである。
【図８Ｄ】図８Ｄは、１つまたはそれを上回る実施形態による、基材を保持するための本開示の別のデバイスである。
【図８Ｅ】図８Ｅは、１つまたはそれを上回る実施形態による、基材を保持するための本開示の別のデバイスである。
【図８Ｆ】図８Ｆは、１つまたはそれを上回る実施形態による、基材を保持するための本開示の別のデバイスである。
【図８Ｇ】図８Ｇは、１つまたはそれを上回る実施形態による、基材を保持するための本開示の別のデバイスである。
【図８Ｈ】図８Ｈは、１つまたはそれを上回る実施形態による、基材を保持するための本開示の別のデバイスである。
【図８Ｉ】図８Ｉは、１つまたはそれを上回る実施形態による、基材を保持するための本開示の別のデバイスである。
【図８Ｊ】図８Ｊは、１つまたはそれを上回る実施形態による、基材を保持するための本開示の別のデバイスである。
【発明を実施するための形態】
【００１２】
本開示は、熱変色性インクと併用するための筆記デバイス、用具、またはワンドに関する。特に、いくつかの実施形態では、本開示は、筆記、描画、彩色、または別様に熱変色性インクを用いて処理される表面と相互作用するための加熱ペンに関する。筆記、描画、彩色、または別様に表面と相互作用するために使用されると、加熱ペンは、熱変色性インクを活性化し得る。加熱ペンは、熱変色性インクを有する表面と相互作用するために構成される描画先端を有してもよい。描画先端は、描画先端が熱変色性インクを活性化し得るように、使用中に加熱されてもよい。加熱された描画先端は、熱変色性インクを変色させ得る。概して、本開示の加熱ペンは、正温度係数（ＰＴＣ）ヒータ等の加熱要素を有してもよい。加えて、いくつかの実施形態では、本開示の加熱ペンは、リチウムイオンバッテリまたは他のバッテリ等の電源を有してもよい。
【００１３】
加熱筆記デバイスは、概して、種々の手段によって加熱されてもよい。いくつかの加熱筆記デバイスは、１つまたはそれを上回る抵抗器もしくは抵抗器ワイヤを有する単純な抵抗器回路を使用して加熱されてもよい。しかしながら、いくつかの場合では、そのような抵抗ヒータは、比較的に短時間で特定の温度に加熱する、および／または特定の温度を維持する際に困難を提示し得る。その結果、そのような抵抗ヒータを有する加熱筆記デバイスは、概して、いくつかの用途では非効率的であり得る。例えば、単純な抵抗ヒータを有する加熱ペンが、表面上に熱変色性インクを活性化するために使用される場合、加熱ペンからの熱エネルギーは、表面に伝達し得、加熱ペンは、熱変色性インクの活性化を停止するように冷却され得る。ペンのユーザは、次いで、これが再び熱変色性インクを活性化するために使用され得る前に、ペンが再加熱するまで待機することを要求され得る。いくつかの場合では、いったんペンが表面と接触すると、そのような抵抗器加熱ペンの温度は、比較的に急速に低下し得る。
【００１４】
ここで図１および２に目を向けると、本開示のいくつかの実施形態による加熱ペン１００が、示される。加熱ペン１００は、熱変色性インク等の熱変色性要素と相互作用するように構成されてもよい。特に、加熱ペン１００は、熱変色性インクを用いて処理される、１枚の紙またはプラスチック等の表面または基材上に筆記、描画、または彩色するために構成されてもよい。いくつかの実施形態では、例えば、図１に示されるように、加熱ペン１００は、概して、ペン、鉛筆、マーカ、クレヨン、または他の従来の筆記用具のように見えるように構成されてもよい。他の実施形態では、加熱ペン１００は、他の構成または設計を有してもよい。いくつかの実施形態では、加熱ペン１００は、バッテリ給電される、および／または再充電可能であってもよい。他の実施形態では、加熱ペン１００は、他の手段によって給電されてもよい。加熱ペン１００は、加熱要素１５０に結合される加熱先端１２０を格納する本体１１０と、バッテリ１３０と、コントローラ１４２と、スイッチ１４４と、インジケータライト１４６と、充電ポート１４８とを有してもよい。いくつかの実施形態では、コントローラ１４２、スイッチ１４４、インジケータライト１４６、および充電ポート１４８、またはそれらの種々のサブセットは、プリント回路基板等の回路基板１４０を介して電気的に接続されてもよい。
【００１５】
加熱ペン１００の本体１１０は、電気的および／または他の構成要素を格納するように構成されてもよい。加えて、本体１１０は、ユーザが使用中に加熱ペン１００を把持または保持するための把持場所を提供してもよい。いくつかの実施形態では、本体１１０は、アクリロニトリルブタジエンスチレン（ＡＢＳ）プラスチックまたは他のプラスチック等のプラスチックから構築されてもよい。他の実施形態では、本体１１０は、任意の好適な材料または複数の材料から構築されてもよい。本体は、第１の端部１１４と第２の端部１１６との間に延在する伸長部分１１２を有してもよい。
【００１６】
いくつかの実施形態では、伸長部分１１２は、略円筒形形状を有してもよい。例えば、伸長部分１１２は、第１の端部１１４と第２の端部１１６との間に延在する、円形または略円形断面を有してもよい。他の実施形態では、伸長部分１１２は、任意の好適な断面形状を有してもよい。いくつかの実施形態では、伸長部分１１２は、１〜３０センチメートルの直径または幅を有してもよい。いくつかの実施形態では、特に、伸長部分１１２は、５〜２５センチメートルの直径または幅を有してもよい。より具体的には、いくつかの実施形態では、伸長部分１１２は、５〜２０センチメートルの直径または幅を有してもよい。他の実施形態では、伸長部分１１２は、任意の好適な直径または幅を有してもよい。いくつかの実施形態では、伸長部分１１２の幅または直径は、第１の端部１１４と第２の端部１１６との間の長さの全てまたは殆どに対して実質的に一定であってもよい。他の実施形態では、伸長部分１１２は、第１の端部１１４と第２の端部１１６との間の直径または幅における変形例を有してもよい。いくつかの実施形態では、第１の端部１１４と第２の端部１１６との間に延在する伸長部分１１２の長さは、２０〜２００センチメートルであってもよい。いくつかの実施形態では、特に、伸長部分１１２は、５０〜１５０センチメートルの長さを有してもよい。より具体的には、いくつかの実施形態では、伸長部分１１２は、１００〜１２５センチメートルの長さを有してもよい。他の実施形態では、伸長部分１１２は、任意の好適な長さを有してもよい。
【００１７】
いくつかの実施形態では、伸長部分１１２は、ともに結合された複数の構成要素を含んでもよい。例えば、いくつかの実施形態では、伸長部分１１２は、両半分から構築され、各半分は、伸長部分の全長に及び、半円形または他の好適に成形された断面を有してもよい。両半分は、図１および２Ａに示されるように、１つまたはそれを上回るねじ、ボルト、摩擦嵌合構成要素、もしくはピン１１８を介して結合されてもよい。例えば、４つのピン１１８が、伸長部分１１２の両半分を結合するために使用されてもよい。他の実施形態では、任意の好適な数のねじ、ボルト、摩擦嵌合構成要素、またはピンが、伸長部分１１２の２つまたはそれを上回る区分を結合するために使用されてもよい。他の実施形態では、伸長部分１１２の２つまたはそれを上回る区分は、糊、さねはぎ機構、または任意の他の好適な結合機構を使用して結合されてもよい。他の実施形態では、伸長部分１１２は、単一プラスチック構成要素等の単一構成要素として構築されてもよい。
【００１８】
いくつかの実施形態では、伸長部分１１２は、ユーザが加熱ペン１００をより良好に把持または保持することを可能にするために、パッド付きプラスチックまたはフォームグリップ等のグリップを有してもよい。さらに、いくつかの実施形態では、伸長部分１１２は、容易な使用を可能にするために、人間工学的特徴または設計要素を有してもよい。またさらなる実施形態では、伸長部分１１２は、他の設計要素または特徴を有してもよい。
【００１９】
いくつかの実施形態では、伸長部分１１２は、１つまたはそれを上回る開口部１１１、１１３を有してもよい。開口部１１１は、例えば、ユーザがスイッチ１４４にアクセスし、ペン１００内の電子機器を起動または制御することを可能にし得る。開口部１１３は、例えば、インジケータライト１４６が表示されることを可能にし得る。開口部１１１、１１３はそれぞれ、それらの関連付けられる構成要素（すなわち、スイッチおよびインジケータライト）に対して定寸されてもよい。いくつかの実施形態では、開口部１１１、１１３はそれぞれ、ユーザがスイッチ１４４またはインジケータライト１４６に干渉する、またはそれを被覆することなくペン１００を保持または使用することを可能にするように、第２の端部１１６に最も近傍の伸長部分１１２上に配列されてもよい。他の実施形態では、開口部１１１、１１３は、本体１１０上の異なる場所に配列されてもよい。
【００２０】
本体１１０の第１の端部１１４は、加熱先端１２０の実質的に近傍に配列されてもよい。特に、いくつかの実施形態では、第１の端部１１４は、図１および２に示されるように、加熱先端１２０を中心として配列されてもよい。第１の端部１１４は、糊、螺着、１つもしくはそれを上回るねじ、または他の方法を介して伸長部分１１２に結合してもよい。いくつかの実施形態では、第１の端部１１４は、さねはぎ、摩擦嵌合、または他の機構を介して伸長部分上にスナップ嵌合してもよい。さらに他の実施形態では、第１の端部１１４の少なくとも一部は、単一の一体型プラスチック構成要素等の単一構成要素として、伸長部分１１２の少なくとも一部とともに構築されてもよい。いくつかの実施形態では、第１の端部１１４は、伸長部分１１２から延在するにつれて先細になる、または狭化してもよい。例えば、いくつかの実施形態では、第１の端部１１４は、略円錐形形状を有し、第１の端部の最広部分は、伸長部分１１２の最も近傍に配列されてもよい。伸長部分１１２から、円錐形に成形された第１の端部１１４は、開口部１１５にかけて狭化する、または先細になってもよい。開口部１１５は、加熱先端１２０の一部が本体１１０を通過し、それから外向きに延在することを可能にするように構成されてもよい。伸長部分１１２の最も近傍のその最広点において、第１の端部１１４は、伸長部分のものと実質的に同一である、または類似する幅もしくは直径を有してもよい。いくつかの実施形態では、例えば、第１の端部１１４の最広点は、５〜２０センチメートルの幅または直径を有してもよい。いくつかの実施形態では、開口部１１５が配列されるその最狭点において、第１の端部１１４は、１センチメートルを下回るもの〜最大約１０センチメートルの幅または直径を有してもよい。他の実施形態では、第１の端部１１４は、任意の好適な幅または直径を有してもよい。また、他の実施形態では、第１の端部１１４は、円錐形形状以外の任意の好適な形状を有し得ることを理解されたい。
【００２１】
開口部１１５は、概して、加熱先端１２０を受容するように構成される任意の好適な形状を有してもよい。いくつかの実施形態では、例えば、開口部１１５は、円形開口部であってもよい。いくつかの実施形態では、開口部１１５は、１センチメートルを下回るもの〜最大約１０センチメートルの幅または直径を有してもよい。他の実施形態では、開口部１１５は、任意の好適な幅または直径を有してもよい。
【００２２】
第２の端部１１６は、伸長部分１１２上に第１の端部１１４に対向して配列されてもよい。第２の端部１１６は、糊、螺着、１つもしくはそれを上回るねじ、摩擦嵌合、または他の方法を介して伸長部分１１２に結合してもよい。いくつかの実施形態では、第２の端部１１６は、さねはぎまたは他の機構を介して伸長部分上にスナップ嵌合してもよい。さらに他の実施形態では、第２の端部１１６の少なくとも一部は、単一の一体型プラスチック構成要素等の単一構成要素として、伸長部分１１２の少なくとも一部とともに構築されてもよい。いくつかの実施形態では、第２の端部１１６は、ドームまたは湾曲形状で伸長部分１１２から延在してもよい。他の実施形態では、第２の端部１１６は、任意の好適な形状または構成を有してもよい。いくつかの実施形態では、第２の端部１１６は、開口部１１７を有してもよい。開口部１１７は、以下に説明されるであろうように、ＵＳＢもしくはミニＵＳＢポートまたは他の電気ポートへのアクセスを可能にするように構成されてもよい。開口部１１７は、概して、ＵＳＢ、ミニＵＳＢ、または他の電気プラグを受容するように定寸されてもよい。他の実施形態では、第２の端部１１６は、閉鎖された端部であってもよい。いくつかの実施形態では、開口部１１７および対応する電気ポートは、本体１１０上の異なる場所に配列されてもよい。
【００２３】
図１および２Ａに示されるように、本体１１０は、概して、加熱先端１２０、バッテリ１３０、回路基板１４０、および／または他の構成要素を格納し得るように中空であってもよい。いくつかの実施形態では、本体１１０は、一定または実質的に一定の厚さを有してもよい。いくつかの実施形態では、本体１１０は、５〜５０ミリメートルの厚さを有してもよい。他の実施形態では、本体１１０は、任意の好適な厚さを有してもよい。いくつかの実施形態では、本体１１０の厚さは、変動してもよい。例えば、図２Ａに示されるように、本体１１０の厚さは、加熱先端１２０を中心として狭化してもよい。いくつかの実施形態では、本体１１０は、プリント回路基板１４０の回路を加熱要素１５０と物理的および／または電気的に結合するように構成される構造１１９を含む、または格納してもよい。例えば、構造１１９は、回路基板１４０からバッテリ１３０の周囲に延在し、加熱要素１５０から対向する端部に延在してもよい。いくつかの実施形態では、構造１１９は、本体１１０に結合される、またはその中に組み込まれてもよい。例えば、構造１１９は、本体１１０の側壁中に組み込まれてもよい。
【００２４】
加熱先端１２０は、第１の端部１１４に最も近傍の本体１１０内に部分的または実質的に配列されてもよい。加熱先端１２０の少なくとも一部は、本体１１０の開口部１１５を通して延在してもよい。加熱先端１２０は、金属または他の好適な伝導性材料から構築されてもよい。いくつかの実施形態では、加熱先端１２０は、加熱先端の少なくとも一部にわたってゴムコーティングまたは他のコーティングを有してもよい。加熱先端１２０は、任意の好適な形状を有してもよい。図１に示されるように、例えば、加熱先端１２０は、円筒形部分１２２および円錐形部分１２４を有してもよい。
【００２５】
いくつかの実施形態では、円筒形部分１２２は、本体１１０内に位置付けられてもよい。円筒形部分１２２は、概して、丸形断面形状を有し、任意の好適な幅または直径を有してもよい。いくつかの実施形態では、例えば、円筒形部分１２２は、約０．５〜１０センチメートルの幅または直径を有してもよい。円筒形部分１２２は、加えて、任意の好適な長さを有してもよい。いくつかの実施形態では、例えば、円筒形部分１２２は、１〜１０センチメートルの長さを有してもよい。いくつかの実施形態では、円筒形部分１２２は、加熱要素１５０を受容するように構成されるキャビティ１２８または中空部分を有してもよい。キャビティ１２８は、円錐形部分１２４のものに対向する側から円筒形部分１２２に延在してもよい。いくつかの実施形態では、キャビティ１２８は、円筒形形状を有してもよく、円筒形部分のものよりも小さい任意の好適な直径または幅を有してもよい。他の実施形態では、キャビティ１２８は、加熱要素１５０を受容するように構成される、任意の好適な形状およびサイズを有してもよい。他の実施形態では、円筒形部分１２２は、中実または実質的に中実であってもよく、加熱要素１５０は、円筒形部分に取り付けられてもよい。
【００２６】
加熱先端１２０の円錐形部分１２４は、円筒形部分１２２から延在してもよい。いくつかの実施形態では、円錐形部分１２４は、約０．５〜１０センチメートルの長さを有してもよい。他の実施形態では、円錐形部分１２４は、任意の好適な長さを有してもよい。円錐形部分が円筒形部分１２２から延在する箇所等の円錐形部分１２４の最広部分において、円錐形部分は、円筒形部分のものと実質的に同一である、または類似する直径もしくは幅を有してもよい。例えば、いくつかの実施形態では、円錐形部分１２２は、約０．５〜１０センチメートルの最広直径または幅を有してもよい。いくつかの実施形態では、最狭部分において、円錐形部分１２４は、１センチメートルを下回るもの〜最大約５センチメートルの直径または幅を有してもよい。他の実施形態では、円錐形部分１２４は、任意の好適な最広および最狭幅を有してもよい。いくつかの実施形態では、さらに、円錐形部分１２４は、円錐形形状の対向する側の間に形成される約１０〜１００度の内角を有してもよい。いくつかの実施形態では、特に、円錐形部分１２４は、約５０〜８０度の内角を有してもよい。他の実施形態では、円錐形部分１２４は、任意の好適な内角を有してもよい。円錐形部分１２４は、本体１１０の開口部１１５を通して延在してもよい。いくつかの実施形態では、円錐形部分１２４は、本体１１０の外側に１センチメートルを下回る長さ〜最大約５センチメートルの長さに延在してもよい。他の実施形態では、円錐形部分１２４は、本体１１０から任意の好適な長さに延在してもよい。いくつかの実施形態では、円錐形部分１２４は、円錐形形状の最狭部分において配列される丸形点１２６を有してもよい。丸形点１２６は、円錐形部分１２４から延在してもよく、略半球形状を有してもよい。いくつかの実施形態では、丸形点１２６は、約０．１〜５センチメートルの直径または幅を有してもよい。他の実施形態では、丸形点１２６は、任意の好適な直径または幅を有してもよい。丸形点１２６は、ユーザが種々の角度でペン１００を保持しながら、筆記面等の表面との接触を維持することを可能にし得る。このように、加熱先端１２０は、概して、ユーザが加熱ペン１００を用いて、例えば、熱変色性紙上に描画、筆記、または彩色し得るように、表面を横断して引動、牽引、または別様に移動されるように構成されてもよい。丸形先端１２６は、ユーザがペン１００の縦方向軸と筆記面との間の９０〜４５度に及ぶ角度で筆記、描画、彩色、または別様に加熱ペン１００を使用することを可能にし得ることを理解されたい。他の実施形態では、ペン１００は、ペンの縦方向軸と筆記面との間の４５度を下回る角度で使用されてもよい。
【００２７】
図３Ａ−３Ｃは、加熱先端３２０の別の実施形態を例証する。加熱先端１２０と類似して、加熱先端３２０は、円筒形部分３２２と、円錐形部分３２４と、丸形点３２６と、キャビティ３２８とを有してもよい。いくつかの実施形態では、図３Ａおよび３Ｃに示されるように、加熱先端３２０は、加えて、鍔部分３２１を有してもよい。鍔部分３２１は、円錐形部分３２４から対向する側上の円筒形部分３２２から延在してもよい。鍔部分３２１は、例えば、円筒形部分３２２と類似して、円形断面を有してもよい。しかしながら、いくつかの実施形態では、鍔部分３２１は、円筒形部分３２２のものよりも大きい直径または幅を有してもよい。いくつかの実施形態では、キャビティ３２８は、鍔部分３２１を通して、円筒形部分３２２に延在してもよい。
【００２８】
図４Ａ−４Ｃは、加熱先端４２０のさらに別の実施形態を例証する。加熱先端１２０および３２０と同様に、加熱先端４２０は、円筒形部分４２２と、円錐形部分４２４と、丸形点４２６と、キャビティ４２８とを有してもよい。図４Ａおよび４Ｃに示されるように、加熱先端４２０は、加えて、第１の鍔部分４２１と、第２の鍔部分４２３とを有してもよい。第１の鍔部分４２１は、円錐形部分４２４から対向する側上の円筒形部分４２２から延在してもよい。第２の鍔部分４２３は、円筒形部分４２２に対向する側上の第１の鍔部分４２１から延在してもよい。いくつかの実施形態では、第１の鍔部分４２１および第２の鍔部分４２３はそれぞれ、円形断面を有してもよい。いくつかの実施形態では、第１の鍔部分４２１は、円筒形部分４２２のものよりも小さい直径または幅を有してもよく、第２の鍔部分４２３は、円筒形部分のものと実質的に同一である、または類似する直径もしくは幅を有してもよい。他の実施形態では、第１の鍔部分４２１および第２の鍔部分４２３はそれぞれ、任意の好適な直径または幅を有してもよい。鍔４２１、４２３はともに、円錐形部分４２４に対向する加熱先端４２０の端部またはその近傍に凹部およびリップを形成してもよい。本開示の加熱先端の他の実施形態は、図３および４に関して議論される鍔部分のいずれかを有し得ることを理解されたい。１つまたはそれを上回る鍔部分は、加熱先端をペンの本体に位置付けることを促進し得る。加えて、図４Ｃに示されるように、いくつかの実施形態では、キャビティ４２８は、第１の鍔部分３２１および第２の鍔部分４２３を通して、円筒形部分４２２を通して、円錐形部分４２４に延在してもよい。いくつかの実施形態では、加えて、キャビティ４２８は、丸形内面を有してもよい。本開示の加熱先端の他の実施形態は、円錐形部分に延在し、および／または丸形内面を有するキャビティもまた有し得ることを理解されたい。
【００２９】
再び図２Ａを参照すると、加熱要素１５０は、加熱先端１２０を加熱するように構成されてもよい。いくつかの実施形態では、加熱要素１５０は、加熱先端１２０内に、またはその中に部分的に位置付けられてもよい。例えば、図２Ａに示されるように、加熱要素１５０は、加熱先端１２０のキャビティ１２８内に位置付けられてもよい。保持部材１５２が、加熱要素１５０を加熱先端１２０に対して定位置に、またはそれと熱連通して固着させるように構成されてもよい。加熱要素１５０は、任意の好適なサイズおよび形状を有してもよい。いくつかの実施形態では、図２Ａに示されるように、加熱要素１５０は、例えば、円形ディスク形状を有してもよい。他の実施形態では、加熱要素１５０は、任意の好適な形状を有してもよい。加熱要素１５０は、概して、加熱先端１２０のキャビティ１２８内に位置付けられるように構成され、加熱先端のために所望される温度または温度範囲を提供するために十分であるサイズおよび形状を有してもよい。
【００３０】
加熱要素１５０は、加熱先端１２０を加熱するための任意の好適な手段を採用してもよい。いくつかの実施形態では、加熱要素１５０は、セラミックＰＴＣ加熱要素である、またはそれを含んでもよい。ＰＴＣ加熱要素は、特定の利益を提供し得る。例えば、ＰＴＣ加熱要素は、比較的に急速な昇温時間を提供し得る。つまり、ＰＴＣ加熱要素は、他の加熱要素と比較して、比較的に短時間内で所望される、または事前判定された温度に到達し得る。ＰＴＣ加熱要素はさらに、過熱のリスクを低減して比較的に安全な加熱環境を提供し得る。特に、つまり、いったんＰＴＣ加熱要素が所望される、または事前判定された温度もしくは温度範囲に到達すると、加熱要素、この場合では加熱先端１２０が、所望される、または事前判定された温度もしくは範囲よりも有意に高温にならずに、所望される、もしくは事前判定された温度または所望される温度範囲内に維持され得るように、熱出力は、減少し得る。さらに、ＰＴＣ加熱要素は、他の加熱要素よりも効果的および効率的に所望される、または事前判定された温度もしくは温度範囲を維持することが可能であり得る。特に、加熱ペン１００の文脈において、加熱先端１２０と熱変色性筆記面等の表面との間の接触が、加熱先端から表面に熱が伝達するにつれて加熱先端の温度を低減させる傾向にあり得る場合、ＰＴＣ加熱要素１５０は、加熱先端が所望される、または事前判定された温度もしくは範囲を下回って急落することを防止することに役立つように、応答して熱流動を加熱先端に効果的または効率的に維持し得る。このように、ＰＴＣ加熱要素は、加熱ペンにおける使用のために特に効果的であり得ることを理解されたい。しかしながら、付加的または代替加熱要素もまた、想定される。例えば、加熱要素１５０は、低温はんだ付けガンである、またはそれを含んでもよい。
【００３１】
いくつかの実施形態では、加熱要素１５０および／または加熱先端１２０は、動作中に特定の温度または温度範囲を維持するように構成されてもよい。例えば、加熱要素１５０および／または加熱先端１２０は、熱変色性インクと相互作用するために十分に高温であり得るが、皮膚または紙を容易に燃焼させるほど高温ではない温度または温度範囲において動作するように構成されてもよい。いくつかの実施形態では、加熱要素１５０および／または加熱先端１２０は、摂氏１〜１００度の温度を維持するように構成されてもよい。いくつかの実施形態では、特に、加熱要素１５０および／または加熱先端１２０は、摂氏３０〜７０度の温度を維持するように構成されてもよい。より具体的には、いくつかの実施形態では、加熱要素１５０および／または加熱先端１２０は、摂氏４５〜５５度の温度を維持するように構成されてもよい。他の実施形態では、加熱要素１５０および／または加熱先端１２０は、任意の好適な温度において動作するように構成されてもよい。いくつかの実施形態では、加熱要素１５０および／または加熱先端１２０は、例えば、異なる熱変色性インクと対応するように、複数の温度または温度範囲において動作するように構成されてもよい。そのような実施形態では、加熱ペン１００は、複数の動作温度または温度範囲の間で切替を促進するために、スイッチ、ダイヤル、または他の機構を有してもよい。
【００３２】
再び図１および２Ａを参照すると、加熱ペン１００は、バッテリ１３０を有してもよい。バッテリ１３０は、例えば、乾電池またはリチウムイオンバッテリ等の任意の好適なバッテリタイプであってもよい。いくつかの実施形態では、バッテリ１３０は、再充電可能であってもよい。いくつかの実施形態では、加熱ペン１００は、１つを上回るバッテリ１３０を有してもよい。
【００３３】
いくつかの実施形態では、リチウムイオンバッテリは、特定の利益を提供し得る。例えば、リチウムイオンバッテリは、乾電池を使用して同一のエネルギー密度を達成するために必要とされるであろうよりも、小さいバッテリおよび／または少ない数のバッテリにおいて特定のエネルギー密度を提供し得る。リチウムイオンバッテリの使用が、いくつかの乾電池の使用に優る利点を加熱ペン１００に提供し得るかどうかを判定するために、試験が、実施された。特に、試験は、（１）本開示の加熱ペンにおける単一の１４５００リチウムイオンバッテリ、（２）本開示の加熱ペンにおける２つの単３乾電池、および（３）本開示の加熱ペンにおける２つの単４乾電池の性能を比較し、そのそれぞれは、本開示の好適かつ可能な例示的実施形態である。同一の加熱ペンが、３つのバッテリタイプのそれぞれを試験するために使用された。試験毎に、加熱ペンは、バッテリを使用して給電され、摂氏５０〜５５度の所望される動作温度範囲において連続的に起動することを可能にされた。ペンの加熱先端が動作温度に到達するために必要とされる時間（「５０℃までの開始時間」）および動作温度が加熱先端において維持され得る時間の長さ（「連続起動時間」）が、測定された。試験の結果が、以下の表に示される。
【表１】
2017177804.tif 000002
【００３４】
上記に示される結果から理解され得るように、単一のリチウムイオン１４５００バッテリは、２つの単３バッテリ（２０秒）および２つの単４バッテリ（３７秒）と比較して、加熱ペンがより短い時間（１０秒）内に所望される温度範囲に到達することを可能にした。さらに、リチウムイオンバッテリは、単３（１９０分）および単４バッテリ（８０分）と比較して、所望される温度範囲における実質的により長い起動時間（３８０分）を提供した。加えて、試験中、単３および単４バッテリによって給電された加熱ペンは、バッテリが約２．７Ｖの電圧レベルに到達したときにオフに切り替えられた。加熱先端は、冷却することを可能にされ、加熱ペンは、次いで、再びオンに切り替えられた。単３および単４バッテリによって給電されたペンのそれぞれに関して、電圧が２．７Ｖに急落した後、加熱先端が５０℃に到達するために必要とされる開始時間は、２分を超えた。したがって、乾電池は、その電圧が経時的に低減するにつれて、加熱ペンに給電する際により効率的または効果的でなくなり得ることを理解されたい。故に、１つまたはそれを上回るリチウムイオンバッテリは、本開示の加熱ペンに給電するために特に効果的または効率的であり得ることを理解されたい。しかしながら、いくつかの実施形態では、乾電池を含む付加的または代替バッテリタイプもまた、使用されてもよい。さらに他の実施形態では、加熱ペン１００は、例えば、家庭用壁コンセント等のＡＣ電力供給源に接続される電力コード等の他の構成要素によって給電されてもよい。さらに他の好適な電源もまた、使用可能である。
【００３５】
継続して図１および２Ａを参照すると、コントローラ１４２は、概して、命令を受信、記憶、および／または送信するように構成されてもよい。コントローラ１４２は、加熱要素１５０を制御する、および／または電力をバッテリ１３０から加熱要素に指向させてもよい。例えば、コントローラ１４２は、加熱先端１２０において所望される、または事前判定された温度もしくは温度範囲を維持するように、加熱要素１３０へのエネルギー流動を制御してもよい。コントローラ１４２は、加えて、または代替として、他の要素を制御してもよい。例えば、コントローラ１４２は、インジケータライト１４６の動作を制御してもよい。いくつかの実施形態では、コントローラ１４２は、電圧調整器等の調整器を含んでもよい。電圧調整器は、バッテリ１３０から加熱要素１２０に一定または略一定の電圧を維持するように構成されてもよい。
【００３６】
いくつかの実施形態では、本開示の加熱ペンは、温度センサを有してもよい。温度センサは、加熱先端１２０および／または加熱要素１５０上またはその近傍に配列されてもよい。温度センサは、加熱先端１２０および／または加熱要素１５０の温度を測定するように構成されてもよい。温度センサは、コントローラ１４２に電気的に結合されてもよく、コントローラに測定された温度データを提供するように構成されてもよい。いくつかの実施形態では、コントローラ１４２は、温度センサから受信される温度データに基づいて、加熱要素１５０に供給されているエネルギーを調節してもよい。温度センサは、例えば、ランダムもしくは周期的な間隔で、または連続的もしくは実質的に連続的に温度情報をコントローラ１４２に送信するように構成されてもよい。
【００３７】
スイッチ１４４は、回路基板１４０から延在してもよく、概して、本体１１０内の開口部１１１等を通して、ユーザにアクセス可能であってもよい。スイッチ１４４は、ペン１００のために１つまたはそれを上回る制御を提供してもよい。いくつかの実施形態では、スイッチ１４４は、電力スイッチであり、ユーザがペンをオンおよびオフにすることを可能にしてもよい。他の実施形態では、スイッチ１４４は、タイマ、温度制御、または他の制御もしくは設定等の付加的または代替制御もしくは設定を提供してもよい。スイッチ１４４は、伸長部分１１２上等の本体１１０上に配列されてもよい。いくつかの実施形態では、スイッチ１４４は、ユーザがスイッチに干渉することなくペン１００を保持および使用することが可能であり得るように、第２の端部１１６の最も近傍に位置してもよい。スイッチ１４４は、任意の好適なタイプのスイッチ機構である、またはそれを含んでもよい。例えば、スイッチ１４４は、押ボタン、トグルスイッチ、スライドスイッチ、制御ダイヤル、または任意の他の好適なスイッチ機構である、またはそれを含んでもよい。いくつかの実施形態では、加熱ペン１００は、複数のスイッチまたは他の制御装置を有してもよい。
【００３８】
インジケータライト１４６は、回路基板１４０から延在してもよく、概して、本体１１０の開口部１１３等を通して、ユーザに可視であってもよい。インジケータライト１４６は、ユーザに指示を提供するように構成されてもよい。例えば、インジケータライト１４６は、加熱ペン１００が電源オンにされたときに点灯するように構成されてもよい。他の実施形態では、ライト１４６は、バッテリ寿命および／または充電状態の種々のレベルの指示を提供してもよい。さらに他の実施形態では、ライト１４６は、例えば、温度警告等の警告を提供してもよい。インジケータライト１４６は、伸長部分１１２上等の本体１１０上に配列されてもよい。いくつかの実施形態では、インジケータライト１４６は、ユーザがペン１００を保持または使用しながらインジケータライトを視認することが可能であり得るように、第２の端部１１６の最も近傍に位置してもよい。インジケータライト１４６は、例えば、ＬＥＤライト等の任意の好適なタイプの点灯デバイスである、またはそれを含んでもよい。いくつかの実施形態では、加熱ペン１００は、種々の情報を示すために、複数のインジケータライト１４６を有してもよい。
【００３９】
充電ポート１４８または他の電気ポートは、回路基板１４０から延在してもよく、概して、ユーザによってアクセス可能であってもよい。充電ポート１４８は、バッテリ１３０を充電または再充電するための手段を提供するように構成されてもよい。いくつかの実施形態では、充電ポート１４８は、例えば、バッテリ１３０に結合されたＵＳＢまたはミニＵＳＢプラグを受容するように構成される、ＵＳＢポートまたはミニＵＳＢポートであってもよい。他の実施形態では、充電ポート１４８は、任意の好適な方式または構成である、またはそれを含んでもよい。他の実施形態では、バッテリ１３０は、他の有線または無線充電方法を含む、他の手段を使用して充電または再充電されてもよい。
【００４０】
ここで図２Ｂに目を向けると、本開示の加熱ペン２００の別の実施形態が、示される。特に、図２Ｂは、加熱ペン２００の分解図を例証する。示されるように、加熱ペン２００は、加熱先端２２０を格納する本体２１０と、バッテリ２３０と、コントローラ２４２と、スイッチ２４４と、インジケータライト２４６と、充電ポート２４８とを有してもよい。コントローラ２４２、スイッチ２４４、インジケータライト２４６、および充電ポート２４８、またはそれらの種々のサブセットは、プリント回路基板等の回路基板２４０および／または１つもしくはそれを上回るリードもしくはワイヤ２４９を介して電気的に接続されてもよい。
【００４１】
上記に説明される本体１１０と類似して、本体２１０は、伸長部分２１２と、第１の端部２１４と、第２の端部２１６とを有してもよい。さらに、本体２１０は、複数のピン２１８によってともに結合される２つの構成要素２１０ａ、２１０ｂから成ってもよい。各構成要素２１０ａ、２１０ｂは、例えば、伸長部分のそれぞれの部分２１２ａ、２１２ｂと、第１の端部２１４ａ、２１４ｂと、第２の端部２１６ａ、２１６ｂとを有してもよい。  
【００４２】
バッテリ２３０、コントローラ２４２、スイッチ２４４、インジケータライト２４６、充電ポート２４８、および回路基板２４０は、図１ならびに２Ａに関して上記に説明されるものと類似してもよい。いくつかの実施形態では、バッテリ２３０は、１つまたはそれを上回るリードもしくはワイヤ２４９を介して、回路基板２４０および／またはコントローラ２４２と電気通信してもよい。
【００４３】
いくつかの実施形態では、加熱ペン２００は、スイッチ２４４にわたって位置付けられるスイッチカバー２４５を有してもよい。スイッチカバー２４５は、例えば、スイッチが押ボタンであるスイッチ２４４のより容易な押動を提供してもよい、または他の実施形態では、スイッチへのアクセスを提供するように摺動もしくはフリップ開放してもよい。
【００４４】
図２Ｃは、加熱先端２２０の断面図を例証する。加熱先端１２０、３２０、および４２０に関して上記に説明されるように、加熱先端２２０は、円筒形部分２２２と、円錐形部分２２４と、丸形先端２２６とを有してもよい。円筒形部分２２２は、加熱要素２５０を受容するように構成されるキャビティ２２８を有してもよい。加熱要素２５０は、上記に説明されるように、セラミックＰＴＣ加熱要素である、またはそれを含んでもよく、円形ディスク形状もしくは他の好適な形状を有してもよい。いくつかの実施形態では、図２Ｂに示されるように、加熱先端２２０および加熱要素２５０はそれぞれ、１つまたはそれを上回るリードもしくはワイヤ２４９を介して、回路基板２４０および／またはコントローラ２４２に電気的に結合されてもよい。加えて、図２Ｂおよび２Ｃに示されるように、加熱先端２２０は、温度センサ２５２、ばね２５４、およびばねホルダ２５６をキャビティ２２８内に格納してもよい。
【００４５】
いくつかの実施形態では、温度センサ２５２は、加熱要素２５０の表面またはその近傍において温度を感知するように構成されてもよい。他の実施形態では、温度センサ２５２は、加熱先端２２０の表面またはその近傍において温度を感知するように構成されてもよい。いくつかの実施形態では、温度センサ２５２は、負温度係数デバイスであってもよい。他の実施形態では、温度センサ２５２は、温度を検出または判定するための任意の好適な機構またはデバイスを使用してもよい。図２Ｂに示されるように、温度センサ２５２は、１つまたはそれを上回るはワイヤ２４９を介して、回路基板２４０および／またはコントローラ２４２と電気通信してもよい。温度センサ２５２は、コントローラ２４０が応答して加熱要素に供給される電力を調節し得るように、加熱要素２５０および／または加熱先端２２０の検出された温度をコントローラ２４０に通信してもよい。いくつかの実施形態では、温度センサ２５２は、加熱要素２５０上またはその近傍に位置付けられてもよい。いくつかの実施形態では、例えば、図２Ｃに示されるように、温度センサ２５２は、加熱要素２５０とばねホルダ２５６との間に位置付けられてもよい。他の実施形態では、温度センサ２５２は、任意の好適な場所に配列されてもよい。
【００４６】
ばね２５４およびばねホルダ２５６はともに、加熱先端２２０に対して、またはそれと熱連通して加熱要素２５０を位置付けるように動作してもよい。いくつかの実施形態では、ばね２５４は、金属または他の好適な材料から成るコイルばねであってもよい。図２Ｃに示されるように、ばね２５４は、加熱要素２５０とばねホルダ２５６との間に配列されてもよい。ばね２５４は、加熱先端２２０のキャビティ２２８内および／またはばねホルダ２５６内に配列されるように定寸されてもよい。ばねホルダ２５６は、ばね２５４がばねホルダと加熱要素２５０との間で圧縮または部分的に圧縮されるように配列されてもよい。ばねホルダ２５６は、プラスチック、金属、または他の好適な材料から成ってもよい。ばねホルダ２５６は、任意の好適なサイズおよび形状を有してもよく、いくつかの実施形態では、加熱先端２２０のキャビティ２２８内に、またはその中に部分的に位置付けられるように構成されてもよい。いくつかの実施形態では、ばねホルダ２５６は、概して、例えば、円筒形に成形されたキャビティ２２８と対応する円筒形形状を有してもよい。ばねホルダ２５６は、ばね２５４の少なくとも一部を受容するように構成されるキャビティ２５８を有してもよい。例えば、キャビティ２５８は、コイルばね２５４を受容するように定寸される、円筒形に成形された開口部であってもよい。このように、ばね２５４は、キャビティ２５８の内面と加熱要素２５０との間に位置付けられてもよい。他の実施形態では、ばねホルダ２５６は、実質的に中実構成要素であってもよい。ばねホルダ２５６は、加えて、ホルダの外面から延在する１つまたはそれを上回る切り欠き２５９を有してもよい。１つまたはそれを上回る切り欠き２５９は、円筒形部分２２２の側壁等、加熱先端２２０における１つまたはそれを上回る開口部２２９と対応してもよい。切り欠き２５９および対応する開口部２２９は、加熱先端２２０内の固定位置にばねホルダ２５６を維持するように併せて動作してもよい。いくつかの実施形態では、図２Ｃに示されるように、１つまたはそれを上回る切り欠き２５９は、湾曲または角度付けられた側および直線棚側を伴うフィン形状を有してもよい。このように、切り欠き２５９は、開口部を横断して一方向に移動されると、切り欠きの湾曲または角度付けられた側が開口部にわたって移動するように、開口部２２９にわたって摺動するように構成されてもよい。同様に、切り欠き２５９は、開口部２２９を横断して対向する方向に移動されると、切り欠きの直線棚側が開口部に引っ掛かるように、ばねホルダ２５６を固定位置に維持するように構成されてもよい。これは、ばねホルダ２５６を取り外すことなくばね２５４が圧縮状態に維持されることを可能にし得る。
【００４７】
ここで図５に目を向けると、本開示の加熱ペンに給電する、および／またはそれを制御する回路５００に関する回路図が、示される。示されるように、回路５００は、制御ユニット５２０、安定化電圧供給源５３０、バッテリ５４０、およびソケット５５０と電気通信する加熱要素５１０を含んでもよい。加熱要素５１０は、エネルギー源からの電力受信に応答して温度が上昇するように構成されてもよい。制御ユニット５２０は、エネルギーをバッテリ５４０から加熱要素５１０に指向または調整するように構成されてもよい。加えて、制御ユニット５２０は、加熱制御信号５２２を加熱要素５１０に送信する、および／または加熱要素５１０から温度信号５１２４を受信するように構成されてもよい。制御信号５２２は、特定の温度への加熱要素５１０の加熱および／または温度の調節を提供してもよい。いくつかの実施形態では、温度信号５２４は、温度センサを介して送信されてもよく、加熱要素５１０に関する現在または直近の温度データを提供してもよい。このように、加熱制御信号５２２および温度信号５２４は、加熱要素の所望される、または事前判定された温度もしくは温度範囲を維持するために、連続的または実質的に連続的なフィードバックループを提供してもよい。いくつかの実施形態では、安定化電圧供給源５３０は、加熱要素５１０への電圧を調整してもよい。バッテリ５４０は、概して、加熱要素５１０に給電してもよい。いくつかの実施形態では、バッテリ５４０は、リチウムイオンバッテリであってもよい。他の実施形態では、バッテリ５４０は、任意の好適なバッテリまたは複数のバッテリであってもよい。ソケット５５０は、バッテリ５４０を充電または再充電するための手段を提供してもよい。例えば、ソケット５５０は、バッテリに結合されたＵＳＢまたはミニＵＳＢプラグを受容するように構成される、ＵＳＢまたはミニＵＳＢソケットである、またはそれを含んでもよい。他の実施形態では、回路５００は、付加的または代替構成要素を含んでもよい。
【００４８】
本開示の加熱ペンは、種々の設計要素、特徴、および構成要素を有してもよい。例えば、図６Ａ−６Ｃは、本開示の加熱ペン６００の付加的実施形態を例証する。示されるように、加熱ペン６００は、本体６１０と、加熱先端６２０と、充電ポート６４８とを有してもよい。図６Ａ−６Ｃから理解され得るように、いくつかの実施形態では、加熱ペン６００は、概して、例えば、鉛筆またはクレヨンに類似して見えるように構成されてもよい。例えば、図６Ａ−６Ｃに示されるように、加熱本体６１０は、鉛筆またはペンのように見えるように、例えば、六角形の断面形状を有してもよい。「Ｔｈｅｒｍｏｃｈｒｏｍａｔｉｃ  Ｉｎｋｓ，Ｐｒｉｎｔｉｎｇ  Ｍｅｔｈｏｄｓ  ａｎｄ  Ｋｉｔｓ」と題され、２０１１年２月２２日に出願された、米国特許第８，６６２，８９３号が、本明細書に参照することによってその全体として本明細書に組み込まれる。米国特許第８，６６２，８９３号の図１６−２９は、種々の要素、特徴、および構成要素を有する加熱ペンの付加的実施形態を例証する。本開示の加熱ペンは、米国特許第８，６６２，８９３号の図１６−２９に例証される要素、特徴、または構成要素のいずれかを有してもよい。
【００４９】
上記に説明されるように、本開示の加熱ペンは、概して、表面上に描画する、筆記する、彩色する、または別様にそれと相互作用するために使用されてもよい。いくつかの実施形態では、表面は、１つもしくはそれを上回る熱変色性インクまたは他の熱変色性構成要素を用いて処理されてもよい。例えば、いくつかの実施形態では、表面は、１枚の紙または熱変色性インクを用いて処理される他の基材であってもよい。
【００５０】
本開示の熱変色性インクは、例えば、液晶および／またはロイコ染料を含むインクを含む、任意の好適な熱変色性インクであってもよい。本開示の熱変色性インクは、熱変色性インクが活性化する、または異なる色に変化する温度を定義する、遷移温度もしくは温度範囲を有してもよい。熱変色性インクは、熱活性化に応じて、任意の好適な第１の色から任意の好適な第２の色に変化してもよい。いくつかの実施形態では、熱変色性インクは、熱活性化に応じて、任意の好適な第１のレベルの不透明度から任意の好適な第２のレベルの不透明度に変化してもよい。いくつかの実施形態では、熱変色性インクは、例えば、透明層で開始してもよい、またはそれに変化してもよい。本開示の熱変色性インクは、任意の好適な遷移温度または範囲を有してもよい。いくつかの実施形態では、例えば、遷移温度は、摂氏−１０〜１００度であってもよい。さらに、遷移範囲は、広いまたは狭い範囲であってもよい。いくつかの実施形態では、例えば、本開示の熱変色性インクに関する遷移範囲は、摂氏０．５〜４０度の任意の場所を含んでもよい。例えば、一調合物は、約１６℃〜約３１℃の遷移点を有することができ、別のものは、約４５℃〜約６０℃の遷移点を有することができる。いくつかの実施例では、使用される１つまたはそれを上回るインク調合物は、Ｐｉｌｏｔ  ＣｏｒｐｏｒａｔｉｏｎまたはＳａｗｇｒａｓｓ  Ｃｏｒｐｏｒａｔｉｏｎから利用可能なものであってもよい。
【００５１】
いくつかの実施形態では、１つを上回る熱変色性インクが、１つまたはそれを上回る遷移点および１つまたはそれを上回る色もしくは色組み合わせを伴う単一のインク調合物において使用されてもよい。例えば、１つまたはそれを上回る熱変色性インク調合物は、基材または表面上に層化されてもよい。種々の実施例では、インク調合物はそれぞれ、可変遷移点を伴う異なる熱品質を有してもよい。そのような組み合わせにおけるインクを使用する利益のうちの１つは、複数段階の加熱が、画像、色、または他のタイプの印刷の異なる層を示すために使用され得ることである。
【００５２】
本開示の加熱ペンは、概して、１つまたはそれを上回る熱変色性インクを活性化するように構成されてもよい。加熱ペンからの熱が１つまたはそれを上回るインクに適用されると、筆記または描画が、加熱ペンが表面または基材に接触する場合はその都度、熱変色性インクを活性化または遷移させることによって、作成されることができる。印刷された画像、色、または他の画像が、１つまたはそれを上回る熱変色性インクの真下に示され得る。例えば、グラビア印刷、フレキソコーティング、またはコーティングおよび／もしくは印刷の他の好適な方法を含む、熱変色性インクが表面または基材に適用され得る種々の方法が、存在する。いくつかの実施形態では、１つまたはそれを上回る熱変色性インクが印刷または適用される表面もしくは基材は、紙またはプラスチック基材であってもよい。
【００５３】
いくつかの実施形態では、基材は、１つまたはそれを上回る層内にあり得、熱変色性インクの１つまたはそれを上回る層および非熱変色性インクの１つまたはそれを上回る層を含み得る、任意の好適な材料であり得る。実施形態では、基材は、透明または半透明であってもよい。いくつかの実施形態では、基材は、必ずしも透明または半透明ではない紙または他の材料であり得る。いくつかの場合では、透明な背景ではなく、白色または他の色の背景上に印刷された画像を有することが、好ましくあり得る。冷却または加熱を適用すると、熱変色性インクは、画像または色を示すために透明または半透明に変わり得る、または熱変色性インクは、異なる色に変わることができる。複数の熱変色性インクの組み合わせ、遷移点の組み合わせ、透明性、および異なる色を用いて、多種多様な異なるパターンが、基材の加熱または冷却処理の結果として作成されることができる。インクを異なる遷移温度と組み合わせることによって、異なる温度の加熱および冷却が、異なる色を生産することができる。
【００５４】
いくつかの実施形態では、熱変色性インクで処理される基材を保持する、または位置付けるためのデバイスが、提供されてもよい。本デバイスは、概して、ユーザが筆記、描画、または彩色し得る基材のための裏材または作業面を提供するように構成されてもよい。加えて、本デバイスは、基材を位置付ける、および／または使用中に基材の移動を最小限にするように構成されてもよい。いくつかの実施形態では、本デバイスは、基材を照射するためのバックライトまたは他のライトを有してもよい。いくつかの実施形態では、本デバイスは、子供用玩具であってもよい。他の実施形態では、本デバイスは、アート用デバイス等、大人のために構成されるデバイスであってもよい。
【００５５】
ここで図７−８に目を向けると、本開示の基材保持デバイスが、作業面、ハンドル、引き出し、筆記デバイスを受容するように構成されるホルダ、スイッチ、１つもしくはそれを上回るインジケータライト、スタンド、フレーム、外部ライト、および／または他の要素を有してもよい。
【００５６】
例えば、図８Ａ−８Ｊは、本開示の基材保持デバイス８００Ａ−８００Ｊのいくつかの実施形態を例証する。図８Ａ−８Ｊは、概して、以下に説明されるが、それらは、参照することによって本開示に先に組み込まれた、米国特許第８，６６２，８９３号により詳細に説明される。例えば、図８Ａに示されるように、デバイス８００Ａは、前面部分８１０Ａ上に配列される作業面８２０Ａを有してもよい。いくつかの実施形態では、デバイス８００Ａは、本開示の加熱ペン等の筆記デバイスを受容するように構成される、ホルダ８５０Ａを有してもよい。ホルダ８５０Ａは、デバイス８００Ａの前面部分８１０Ａにおける切り出しまたは陥凹であってもよい。切り出しまたは陥凹は、筆記デバイスのものと類似する形状を有してもよい。いくつかの実施形態では、デバイス８００Ａは、加えて、スイッチ８６０Ａと、１つまたはそれを上回るインジケータライト８７０Ａとを有してもよい。スイッチ８６０Ａは、例えば、作業面８２０の後方でバックライトをオンにするように構成されてもよい。インジケータライト８７０Ａは、バックライトがオンになるときこれを、加熱ペンが特定の温度に到達したときこれを、および／または他の情報を示すように構成されてもよい。図８Ａ−８Ｊから理解され得るように、デバイス８００Ａ−Ｊは、種々の付加的または代替特徴、要素、および構成要素を有してもよい。いくつかの実施形態では、例えば、図８Ｃに示されるように、デバイス８００Ｃは、種々の要素を制御するための複数のスイッチまたはボタン８６０Ｃを有してもよい。例えば、スイッチ８６０Ｃは、作業面８２０Ｃの後方に提供されるバックライトの色を制御してもよい。図から理解され得るように、ハンドルが、例えば、図８Ｄおよび８Ｅに示されるように、本デバイスの種々の場所に提供されてもよい。図８Ｆに示されるように、デバイス８００Ｆは、作業面８２０Ｆをある角度に位置付けるように構成される、スタンド８８０Ｆを一方の端部に有してもよい。いくつかの実施形態では、スタンド８８０Ｆは、加えて、デバイス８００Ｆのためのハンドルとしての役割を果たしてもよい。いくつかの実施形態では、図８Ｇおよび８Ｈに示されるように、デバイス８００Ｇ、８００Ｈは、フレーム８９０Ｇ、８９０Ｈを有してもよい。フレーム８９０Ｇ、８９０Ｈは、使用中に基材を作業面８２０Ｇ、８２０Ｈ上に定位置に保持するように構成されてもよい。フレーム８９０Ｇ、８９０Ｈは、概して、作業面８２０Ｇ、８２０Ｈの縁の周囲に位置付けられるように構成されてもよく、作業面のものと類似するサイズおよび形状を有してもよい。いくつかの実施形態では、フレーム８９０Ｇ、８９０Ｈは、可撤性であってもよい。他の実施形態では、フレーム８９０Ｇ、８９０Ｈは、１つまたはそれを上回るヒンジもしくは他のデバイスを介してデバイス８００Ｇ、８００Ｈに結合されてもよい。いくつかの実施形態では、図８Ｉおよび８Ｊに示されるように、デバイス８００Ｉ、８００Ｊは、１つまたはそれを上回る外部クリップ８９５Ｉ、８９５Ｊを有してもよい。１つまたはそれを上回るクリップ８９５Ｉ、８９５Ｊは、使用中に基材を作業面８２０Ｉ、８２０Ｊ上に定位置に保持するように構成されてもよい。いくつかの実施形態では、加えて、図８Ｉおよび８Ｊに示されるように、デバイス８００Ｉ、８００Ｊは、１つまたはそれを上回る外部ライト８８５Ｉ、８８５Ｊを有してもよい。１つまたはそれを上回る外部ライト８８５Ｉ、８８５Ｊは、作業面８２０Ｉ、８２０Ｊを照射するように構成されてもよい。
【００５７】
図７は、基材保持デバイス７００の別の実施例を例証する。図７は、作業面が配列され得るデバイス７００の前面部分に対向して配列され得る、背面部分７１５を例証する。示されるように、デバイス７００は、ハンドル７３０と、引き出し７４０とを有してもよい。デバイス７００は、プラスチックまたは任意の他の好適な材料もしくは複数の材料から構築されてもよい。デバイス７００は、任意の好適な形状を有してもよく、いくつかの実施形態では、図７に示されるように、矩形形状を有してもよい。デバイス７００は、任意の好適なサイズを有してもよい。例えば、いくつかの実施形態では、デバイス７００は、３〜１２インチの幅、６〜２４インチの長さ、および０．２５〜６インチの厚さを有してもよい。他の実施形態では、本体７００は、任意の好適なサイズを有してもよい。
【００５８】
ハンドル７３０は、デバイス７００を携行するための手段を提供してもよい。ハンドルは、概して、任意の好適な形状およびサイズを有してもよく、いくつかの実施形態では、人間工学的特徴を有してもよい。ハンドル７３０は、デバイス７００上の任意の好適な場所に提供されてもよい。例えば、ハンドル７３０は、デバイス７００の側縁上に配列されてもよい。
【００５９】
引き出し７４０は、熱変色性インクを有する１つまたはそれを上回る基材等の材料を貯蔵するために構成されてもよい。引き出し７４０は、ユーザが余分なブランクもしくは未使用基材および／またはすでに活性化された、もしくは部分的に活性化された基材を貯蔵することを可能にし得る。示されるように、引き出しは、デバイス７００のある側からアクセス可能であってもよい。いくつかの実施形態では、引き出し７４０は、概して、貯蔵された材料が作業面の後方または真下に位置付けられ得るように配列されてもよい。引き出しは、デバイス７００から外向きに摺動してもよい。いくつかの実施形態では、引き出し７４０は、定位置にスナップ嵌合または係止し得るカバーを有してもよい。例えば、カバーは、引き出し７４０にアクセスし、これを引き出すために引き下げられてもよい。他の実施形態では、引き出し７４０は、ユーザが作業面にわたって描画する間に引き出しが摺動開放することを防止することに役立つように、他の係止機構を有してもよい。本開示の任意の基材保持デバイスが、材料を貯蔵するために構成される引き出しを有し得ることを理解されたい。またさらなる実施形態では、引き出しを引き出すのではなく、本開示の基材保持デバイスは、例えば、基材および／または他の材料を貯蔵するように構成される貯蔵キャビティへのアクセスを提供するために、摺動またはフリップ開放し得るアクセスパネルを有してもよい。
【００６０】
本明細書に使用されるように、用語「実質的に」または「概して」は、作用、特性、性質、状態、構造、品目、または結果の完全またはほぼ完全な範囲もしくは程度を指す。例えば、「実質的に」または「概して」封入される物体は、物体が完全に封入されるか、またはほぼ完全に封入されるかのいずれかを意味するであろう。絶対完全性からの逸脱の厳密な許容可能な程度は、いくつかの場合では、具体的文脈に依存し得る。しかしながら、概して言えば、完全に近いことは、概して、絶対的かつ全体的な完全性が得られる場合と同一の全体的結果を有するようになるであろう。「実質的に」または「概して」の使用は、否定的意味合いで使用されるときにも等しく適用可能であり、作用、特性、性質、状態、構造、品目、または結果の完全もしくはほぼ完全な欠如を指す。例えば、ある原料または要素が「実質的にない」または「概してない」要素、組み合わせ、実施形態、または組成物は、概して、その測定可能な影響が全く存在しない限り、実際にそのような品目を依然として含有し得る。
【００６１】
前述の説明では、本開示の種々の実施形態は、例証および説明の目的で提示された。それらは、排他的となること、または本発明を開示される精密な形態に限定することを意図していない。明白な修正または変化例が、上記の教示を踏まえて可能である。種々の実施形態は、本開示の原理およびその実践的用途の最良の例証を提供し、当業者が想定される特定の使用に適しているような種々の修正を用いて種々の実施形態を利用することを可能にするように、選定および説明された。全てのそのような修正および変化例は、それらが公平に、合法に、または公正に享受する広さに従って解釈されるとき、添付される請求項によって判定されるような本開示の範囲内である。
【図１】
2017177804.tif 000003
【図２Ａ】
2017177804.tif 000004
【図２Ｂ】
2017177804.tif 000005
【図２Ｃ】
2017177804.tif 000006
【図３Ａ】
2017177804.tif 000007
【図３Ｂ】
2017177804.tif 000008
【図３Ｃ】
2017177804.tif 000009
【図４Ａ】
2017177804.tif 000010
【図４Ｂ】
2017177804.tif 000011
【図４Ｃ】
2017177804.tif 000012
【図５】
2017177804.tif 000013
【図６Ａ】
2017177804.tif 000014
【図６Ｂ】
2017177804.tif 000015
【図６Ｃ】
2017177804.tif 000016
【図７】
2017177804.tif 000017
【図８Ａ】
2017177804.tif 000018
【図８Ｂ】
2017177804.tif 000019
【図８Ｃ】
2017177804.tif 000020
【図８Ｄ】
2017177804.tif 000021
【図８Ｅ】
2017177804.tif 000022
【図８Ｆ】
2017177804.tif 000023
【図８Ｇ】
2017177804.tif 000024
【図８Ｈ】
2017177804.tif 000025
【図８Ｉ】
2017177804.tif 000026
【図８Ｊ】
2017177804.tif 000027
【外国語明細書】
2017177804000001.pdf